(57)【要約】  スクロールカラー照明システムのための光源は、光を生成するランプ（２１２）と、ランプ（２１２）からの光の一部を各々受け取る第１及び第２の独立なリフレクタ（２２０、２３０）と、前記第１及び第２の独立なリフレクタ（２２０、２３０）によって受け取られる前記光の一部によって作られる当該光源の２つの独立な像を受け取るライトガイド（２６０）とを含む。前記のような配置によって、ライトガイド（２６０）は、ランプ（２１２）によって生成される前記光ビームのアスペクト比の２倍であるアスペクト比を有する光ビームを自身の出力部において供給すると共に、該光ビームの元のエテンデュを保持している。有益的には、偏光素子（２６６）は、ライトガイド（２６０）からの偏光されていない光ビームを、前記エテンデュの増加を伴わずに偏光し、この過程において前記アスペクト比は更に２倍される。
2007505476.tif 000002
【特許請求の範囲】
【請求項１】
光源であって、
―  光を生成するランプと、
―  前記ランプからの前記光の一部を受け取り、受け取られた該光を対応する第１及び第２方向に指向するように各々位置決めされている第１及び第２部分楕円形リフレクタであって、前記ランプによって生成された前記光の独立な像を各々生成する第１及び第２部分楕円形リフレクタと、
―  前記部分楕円形リフレクタの１つからの前記光を受け取り、反射するように各々位置決めされている、第１及び第２ミラーと、
―  自身の第１端部に配されている２つのプリズムを有するライトガイドであって、各プリズムは、前記部分楕円形リフレクタによって生成された前記独立な像の対応するものを前記ライトガイド内に入力するライトガイドであって、自身の第２端部において光ビームを供給するライトガイドと、
を有する光源。
【請求項２】
前記ライトガイドの前記第２端部に配されている偏光素子であって、前記ライトガイドの前記第２端部において前記光ビームを受け取り、該光ビームを偏光された光ビームに変換する偏光素子を更に有し、前記偏光された光ビームのアスペクト比は、前記偏光素子によって受け取られた前記光ビームのアスペクト比の２倍である、請求項１に記載の光源。
【請求項３】
前記偏光素子は、偏光ビームスプリッタ及び移相子を含んでいる、請求項２に記載の光源。
【請求項４】
１対の前記部分楕円形リフレクタは、自身の共通縁部に沿って一緒に結合されている、請求項１に記載の光源。
【請求項５】
光源であって、
―  第１及び第２焦点を各々有する第１及び第２部分楕円形リフレクタであって、該第１及び第２部分楕円形リフレクタの前記第１焦点が概ね一致するように配されている、第１及び第２部分楕円形リフレクタと、
―  前記第１及び第２部分楕円形リフレクタの前記第１焦点に概ね位置決めされているランプと、
―  前記ランプがオンにされた場合、前記ランプによって生成された光の２つの独立な像を前記部分楕円形リフレクタを介して受け取る場所に配されているライトガイドと、
を有する光源。
【請求項６】
前記第１及び第２部分楕円形リフレクタの対応するものと、該第１及び第２部分楕円形リフレクタそれぞれの第２焦点との間の光路内に配されている、第１及び第２ミラーを更に有する、請求項５に記載の光源。
【請求項７】
前記ライトガイドの端部に配されている第１及び第２プリズムを更に含んでいる、請求項５に記載の光源。
【請求項８】
前記ランプがオンにされた場合、前記ランプによって生成された前記光の一部を、前記第１及び第２部分楕円形リフレクタに向かって反射するように配されているランプリフレクタを更に有する、請求項５に記載の光源。
【請求項９】
前記ライトガイドの前記第２端部に配されている偏光素子を更に含む、請求項５に記載の光源。
【請求項１０】
前記偏光素子が、偏光ビームスプリッタ及び移相子を更に含む、請求項９に記載の光源。
【請求項１１】
前記偏光素子は、前記ライトガイドの前記第２端部において供給される前記光のアスペクト比を２倍にする、請求項９に記載の光源。
【請求項１２】
前記第１及び第２部分楕円形リフレクタは、共通縁部を共有している、請求項５に記載の光源。
【請求項１３】
光源であって、
―  光を生成するランプと、
―  前記ランプからの前記光の一部を各々受け取る第１及び第２の独立なリフレクタと、
―  前記第１及び第２の独立なリフレクタによって受け取られた前記光の一部によって作られる前記光源の２つの独立な像を受け取るライトガイドと、
を有する光源。
【請求項１４】
前記第１及び第２の独立なリフレクタは、部分楕円形の形状を各々有している、請求項１３に記載の光源。
【請求項１５】
前記第１及び第２の独立なリフレクタは、放物面の形状を各々有している、請求項１３に記載の光源。
【請求項１６】
放物面状の前記リフレクタの対応するものからの反射された光を各々受け取り、反射された前記光から前記像の一方を作る、１対のレンズを更に有する、請求項１５に記載の光源。
【請求項１７】
前記レンズの対応するものと該レンズの像との間の光路内に各々配されている１対のミラーを更に有し、前記ミラーの各々は前記ライトガイドに向かって前記レンズからの光を指向する、請求項１６に記載の光源。
【請求項１８】
前記ライトガイドは、自身の出力部において光ビームを供給し、前記光ビームは前記ランプによって生成される前記光のアスペクト比の２倍であるアスペクト比を有する、請求項１３に記載の光源。
【請求項１９】
前記独立なリフレクタの対応するものから反射された光を各々受け取り、反射された前記光を前記ライトガイドに向かって指向する、１対のミラーを更に有する、請求項１３に記載の光源。
【請求項２０】
前記ライトガイドの第２端部に配されている偏光素子であって、前記ライトガイドの前記第２端部において前記光ビームを受け取り、該光ビームを線形偏光された光ビームに変換する偏光素子を更に有し、前記線形偏光された光ビームのアスペクト比は、前記偏光素子によって受け取られた前記光ビームのアスペクト比の２倍である、請求項１３に記載の光源。
【発明の詳細な説明】
【技術分野】
【０００１】
本発明は、光源の分野に関し、より詳細には、単一のパネル型スクロールカラー投射システムと共に使用されることができるスクロールカラー照明システムのための集光素子に関する。
【背景技術】
【０００２】
スクロールカラープロジェクタ（例えば、液晶表示パネル）は、単一の光変調器又はライトバルブからフルカラーの像を生成する。スクロールカラープロジェクタに関する概ねの概念は、Ｊａｎｓｓｅｎらによる米国特許第５，５３２，７６３号公報（以下、「７６３特許」と称する）において議論されており、この特許公報の全体的な開示は、参照によって本明細書内に組み込まれている。
【０００３】
前記７６３特許において記載されているように、スクロールカラープロジェクタは、液晶表示器ＬＣＤ上を上から下まで連続的にスクロールする複数のストライプ状の有色光（赤、緑、青）によって、液晶表示（ＬＣＤ）パネルを照明する。強い白色光源（例えば、アークランプ）からの光が収集され、原色（赤、緑及び青）に分離される。色分離された光は、各ソースが「垂直」方向に狭く、かつ、「水平」方向に広く見えるように、３つの光源に形成される。走査光学機器は、３つのライトバンド（前記色の各々の１つ）がＬＣＤパネル上に位置決めされるように使用される。走査光学機器によって、バンド状の照明はＬＣＤパネル上を移動させられる。バンドが、前記パネルのアクティブ領域の「頂部」を通過する場合、この色のライトバンドは、当該パネルの「底部」に再び出現する。従って、前記パネル上の３色は、連続的に掃引される。
【０００４】
図１は、スクロールカラーシステムにおける電気光学光変調器パネルの照明の模式図である。前記のようなパネルは、典型的には、１ラインずつ（ａ line-at-a time）の態様でアドレス指定されている個々にアドレス指定可能な反射ピクセル電極（図示略）によって規定されているピクセルの行（又はライン）及び列のマトリックスによって構成されている。赤、青及び緑の長方形の有色光バー（３２，３６，４０）は、矢印の方向にマトリックスアレイ（四角形４２によって表されている）を連続的にスクロールダウンする。時点ｔにおいて前記パネルを照明している赤色バー３２、青色バー３６及び緑色バー４０が、示されている。有色バー３２，３６及び４０間の空間は、ガードバー３０、３４及び３８を表している。
【０００５】
前記７６３特許において記載されているシステムは、ソース光ビームを生成するライトボックスを含んでいる。前記ライトボックスは、適切な強度のランプを含んでいる。上述され、図１に見られるように、前記光ビームは、「垂直」方向に狭く、「水平」方向に広い必要がある。典型的なシステムは、１０：１のアスペクト比を有する長方形の光ビームを必要とし得る。一方、典型的なＵＨＰアークランプのアスペクト比は、２．５：１である。従って、前記ライトボックスは、光ビームを変形する役目をする一連の光学レンズも含んでおり、この結果、光ビームは、所望のアスペクト比を有する概ね均一な長方形ビームである必要とされる形状をとる。当該システムは、前記ライトボックスからの光ビームを、又は色分離された後の３つの異なる有色の光ビームを更に長方形化するように、１つ以上の垂直に配された長方形のアパーチャも含むことができる。
【発明の開示】
【発明が解決しようとする課題】
【０００６】
残念ながら、これらの光源に関する問題が存在する。ランプによって生成された前記光を最も集光するように、一般的に、（１）小さい開口数（ＮＡ）のレンズを多数採用する取り組み方と（２）高いＮＡのレンズを少数採用する取り組み方とのうちの一方が、採用されている。どちらの取り組み方も、不利な点を被っている。取り組み方（１）の場合、前記不利な点は、多数のレンズの複雑性に関する。取り組み方（２）の場合、高いＮＡのレンズが、高耐熱性を必要とすることである。どちらの取り組み方も、高コストを被っている。
【０００７】
従って、スクロールカラープロジェクタ用のスクロールカラー照明システムのための改良された光源を提供するのが望ましい。ランプからの光を所望の形状因子を有する光ビームに変換する、より小型の光学配置を提供することも望ましい。スクロールカラー照明システムのための効率的な集光素子を提供することが更に望ましい。本発明は、上述の問題の１つ以上に対処するように向けられている。
【課題を解決するための手段】
【０００８】
本発明の１つの見地において、光源は、発光するランプと；前記ランプからの反射された光を受け取り、受け取られた前記光をそれぞれ第１及び第２方向に指向するように位置決めされている１対の部分楕円形リフレクタと；前記部分楕円形リフレクタの１つからの光を受け取り、反射するように各々位置決めされている第１及び第２のミラーと；自身の第１端部に配されている２つのプリズムを有するライトガイドであって、各プリズムは前記第１及び第２ミラーの対応するものからの反射された前記光を該ライドガイド内に入力するライトガイドにおいて、自身の第２端部において光ビームを供給するライトガイドと；を有する。
【０００９】
本発明の他の見地において、光源は、第１及び第２焦点を各々有する第１及び第２の部分楕円形リフレクタであって、前記第１及び第２の部分楕円形リフレクタの第１焦点が概ね一致するように配されている前記部分楕円形リフレクタと；前記第１及び第２の部分楕円形リフレクタの前記第１焦点に概ね位置決めされているランプと；前記ランプがオンにされた場合、前記ランプによって生成される光の２つの独立な像を、前記部分楕円形リフレクタを介して受け取る場所に配されているライトガイドと；を有する。
【００１０】
本発明の更に他の見地において、光源は、光を生成するランプと；前記ランプからの光の一部を各々受け取る第１及び第２の独立なリフレクタと；前記第１及び第２の独立なリフレクタによって受け取られた前記光の一部によって作られる前記光源の２つの独立な像を受け取るライトガイドと；を有する。
【発明を実施するための最良の形態】
【００１１】
図２は、スクロールカラー照明システムのための光源２００の実施例の側断面図を示している。図３は、光源２００の正面図を示している。図２及び３に示されているように、光源２００は、ランプ２１２及びリフレクタ２１６を有するランプアセンブリ２１０と；独立な第１及び第２部分楕円形リフレクタ２２０及び２３０と；第１及び第２ミラー２４０及び２５０と；ライトガイド２６０と；を含んでいる。
【００１２】
有益的には、ランプ２１２は、高輝度放電（ＨＩＤ）ランプ又はウルトラハイパフォーマンス（ＵＨＰ）ランプであっても良く、形状が管状であるのが好ましい。模範的なランプは、長さが約９ｍｍであり得る。
【００１３】
ランプリフレクタ２１６は、有益的には半球形の全体形状を有し、又は、ランプ２１２の形状に依存して、半円筒状の全体形状を有する。好ましくは、ランプアセンブリ２１０は、後に詳述されるように、自身の一方の側のみに向かって発光する。ランプアセンブリ２１０からの光は、概ね、長方形／楕円形であり得る。模範的な実施例において、ランプによって生成される光は、２．５：１のアスペクト比を有する。
【００１４】
図４において最も良く見られることができるように、第１及び第２部分楕円形リフレクタ２２０及び２３０、第１及び第２焦点を有する楕円の部分的表面を各々規定している。有益的には、第１及び第２の部分楕円形リフレクタ２２０及び２３０は、前記第１焦点が概ね一致するように配されている。更に、図２において見られることができるように、第１及び第２部分楕円形リフレクタ２２０及び２３０は、楕円の弧の部分を規定している断面を各々有している。同様に有益的には、図６において最も良く見られることができるように、第１及び第２部分楕円形リフレクタ２２０及び２３０は、共通縁部を共有しており、この共通縁部において一緒に結合されている。１つの実施例において、前記第１及び第２部分楕円形リフレクタ２２０及び２３０は、図４ないし６に示されているように、一体構造で一緒に形成されている。
【００１５】
ライトガイド２６０は、第１及び第２プリズム２６２及び２６４を第１（光入射口）端部に備えている。プリズム２６２及び２６４は低屈折率接合剤によって、ライトガイド２６０の前記第１端部に接合されることができ、又は、オプション的には、ライトガイド２６０に一体化されて形成されても良い。プリズム２６２及び２６４は、対応する光入射面２６２ａ、２６４ａと、光反射面２６２ｂ、２６４ｂと、光出射面２６２ｃ、２６４ｃとを有する。反射面２６２ｂ、２６４ｂは、有益的には、反射又はミラーコーティングを備えている。
【００１６】
同様に、図５において最も良く見られることができるように、ライトガイド２６０は、有益的には、偏光素子２６６を第２（光出射）端部に備えている。偏光素子２６６は、偏光ビームスプリッタ２６６ａ及び移相子（ｐｈａｓｅ  ｒｅｔａｒｄｅｒ）２６６ｂを含んでおり、移相子２６６ｂの動作は、後に詳述される。ビームスプリッタ２６６ａは、低屈折率接合剤によってライトガイド２６０の端部に接合されることができ、又はオプション的には、ライトガイド２６０に一体化されて形成されても良い。
【００１７】
光源２００内で、ランプアセンブリ２１０は、概ね、部分楕円形リフレクタ２２０及び２３０の第１焦点に位置されている。一方、第１及び第２ミラー２４０及び２５０は、それぞれ、第１及び第２部分楕円形リフレクタ２２０及び２３０と、これらの対応する第２焦点との間の光路内に各々位置されている。更に、プリズム２６２及び２６４の光入射面２６２ａ、２６４ａが各々位置決めされており、第１及び第２部分楕円形リフレクタ２２０及び２３０の対応するものからのアーク像は、対応するミラー２４０、２５０によって中継される。即ち、例えば、第１部分楕円形リフレクタ２２０とミラー２４０との間の距離「ｘ」と、ミラー２４０と入射面２６２ａとの間の距離「ｙ」との和は、第１部分楕円形リフレクタ２２０の前記第２焦点の焦点距離ｆ２に等しい。
【００１８】
ここで、光源２００の動作を記載する。ランプ２１２は、光を放射する。ランプ２１２からの光の第１部分は、ランプリフレクタ２１６に向かって放射する。ランプリフレクタ２１６は、第１及び第２部分楕円形リフレクタ２２０及び２３０に向かってランプ２１２からの光の前記第１部分を反射する。一方で、ランプ２１２からの光の残部（第２部分）は、第１及び第２部分楕円形リフレクタ２２０及び２３０に向かって直接的に放射する。有益的には、ランプアセンブリ２１０と第１及び第２部分楕円形リフレクタ２２０及び２３０とは、ランプアセンブリ２１０からの光のほぼ全てが第１及び第２部分楕円形リフレクタ２２０及び２３０の内側表面上に当たるように、配されている。即ち、第１及び第２部分楕円形リフレクタ２２０及び２３０は、ランプ２１２及びランプリフレクタ２１６からの光のほぼ全てを受け取るように、対応して規定された楕円に沿って十分に遠くまで、各々延在している。
【００１９】
有利には、ランプ２１２は、概ね、第１及び第２部分楕円形リフレクタ２２０及び２３０の各々の第１焦点に位置されている。
【００２０】
第１及び第２部分楕円形リフレクタ２２０及び２３０は、ランプ２１２からの光を（直接的に又はランプリフレクタ２１６によって反射されてのいずれかで）受け取り、それぞれの第２焦点に指向される独立なアーク像を生成する。
【００２１】
ミラー２４０及び２５０は、第１及び第２部分楕円形リフレクタ２２０及び２３０の対応するものと、対応する部分楕円形リフレクタ２２０／２３０の第２焦点との間の光路内に各々位置されている。ミラー２４０及び２５０各々は、前記対応する部分楕円形リフレクタ２２０／２３０からの光を受け取り、受け取られた前記光を、２つのプリズム２６２及び２６４の対応するものに向けて反射する。２つのプリズム２６２及び２６４の光入射面２６２ａ及び２６４ａは、ミラー２４０及び２５０によって中継されるように、前記対応する部分楕円形リフレクタ２２０／２３０の前記像の位置に各々配されている。
【００２２】
独立な光像は、プリズム２６２及び２６４に光入射面２６２ａ及び２６４ａを介して入射し、これによって対応する光反射面２６２ｂ及び２６４ｂに渡される。前記光は、光反射面２６２ｂ及び２６４ｂによって反射され、プリズム２６２及び２６４の光出射面２６２ｃ及び２６４ｃを介して、ライトガイド２６０の前記第１端部に入射する。従って、前記２つの独立な光像は、ランプ２１２からの元の光ビームの２倍のアスペクト比を有する結合された光ビームを生成するように、互いに隣接して長手方向に「突合せ（ｅｎｄ  ｔｏ  ｅｎｄ）」に配されている前記ライトガイドに入射する。前記光は、ライトガイド２６０によって内部的にガイドされ、該ライドガイドの前記第２端部から出射する。
【００２３】
上述の実施例は、ミラー２４０及び２５０と、２つのプリズム２６２及び２６４とを含んでいるが、前記独立な光像を受け取り、該光像をライトガイド２６０に結合する他の手段が設けられても良い。
【００２４】
有利には、上述の過程の結果として、ランプ２１２によって生成された前記光ビームのアスペクト比は、前記光ビームのエテンデュ（ｅｔｅｎｄｕｅ）の対応する増加を伴わずに、比較的わずかな光損失又は効率の低下を伴い、効果的に２倍にされている。例えば、典型的なＵＨＰアークランプからの前記光ビームのアスペクト比が２．５：１である場合、上述のシステム及び過程によってライトガイド２６０の前記第２端部から発するライトストライプのアスペクト比は、５：１である。
【００２５】
スクロールカラープロジェクタにおける動作の場合、ＬＣＤパネルは、線形偏光された光を必要とする。しかしながら、ランプ２１２からの前記光ビームは、偏光されていない。
【００２６】
従って、上述のように、ライドガイド２６０は、有益的には、自身の第２端部に偏光素子２６６を備えており、該偏光素子から、前記光ビームが出射する。図６において最も良く見られることができるように、ライトガイド２６０からの偏光されていない光ビームは、偏光ビームスプリッタ２６６ａに入射する。前記光ビームの第１（例えば、水平）偏光を有する部分は、偏光ビームスプリッタ２６６ａを通過する一方で、第２（例えば、垂直）偏光を有する前記光ビームの残部は、移相子２６６ｂに反射される。前記第２（例えば、垂直）偏光を有する光は、移相子２６６ｂによって位相が９０度回転され、これによって、前記第２偏光を有する光の偏光は、偏光ビームスプリッタ２６６ａを通過する前記第１（例えば、水平）偏光を有する前記光の経路と、隣接、かつ、平行である経路に沿って反射される前に、前記第１（例えば、水平）偏光に変化される。
【００２７】
有利には、上述の偏光過程の結果として、偏光素子２６６から出射する線形偏光された前記光ビームのアスペクト比は、前記光ビームのエテンデュの対応する増加を伴わずに、かつ、非常にわずかな光損失又は効率の低下を伴って、偏光素子２６６に入射した偏光されていない前記光ビームのアスペクト比に対して２倍にされている。即ち、偏光素子２６６を通過する前記光ビームは、ランプ２１２によって元々生成された前記光のアスペクト比の４倍であるアスペクト比を有する。
【００２８】
従って、例えば、典型的なＵＨＰアークランプからの光ビームのアスペクト比が２．５：１である場合、ライトガイド２６０の前記第１端部に入射するライトストライプのアスペクト比は５：１であり、ライトガイド２６０の前記第２端部における偏光素子２６６から出射する前記ライトストライプのアスペクト比は、１０：１である。
【００２９】
従って、前記ランプからのアークの独立な像を各々作成する２つの独立なリフレクタを設け、前記２つの独立な像の光を結合することによって、前記光ビームのエテンデュが保持されることができると同時に、多数の小さい開口数（ＮＡ）のレンズ、又は少数の高いＮＡのレンズの使用と関連したコスト及び複雑性を伴わずに、ビームのアスペクト比を調整することができる。
【００３０】
図１ないし６に示されている実施例に関して詳細に説明された原理は、以下のように拡張することもできる。先ず、二重リフレクタによって生成された前記像は、図１ないし６に示されている折りたたみミラー２４０、２５０及び対応するプリズム２６２、２６４を介する以外の様々な仕方で、収集及び結合されても良い。例えば、前記２つの独立なリフレクタの像点に位置決めされている２つの入射面を有する「Ｙ字状」ライトガイドが使用されることができ、結合された前記光ビームは、該Ｙ字状ライトガイドの単一の共通出射面から出射する。この場合、ミラーもプリズムも必要ではない。
【００３１】
更に、前記二重の独立なリフレクタは、部分楕円形以外の形状をとっていても良い。例えば、放物面又は球面リフレクタが使用されることができる。
【００３２】
図７は、図１ないし６の部分楕円形リフレクタ２２０及び２３０の代わりに、２つの独立な放物面リフレクタ７２０、７３０を使用している光源７００の代替的な配置を示している。光源７００は、独立な放物面リフレクタ７２０及び７３０によって２組の平行な光線として反射されたランプ７１０からの光の対応する独立な像を生成する拡大レンズ７２５及び７３５も含んでいる。説明されている前記実施例において、拡大レンズ７２５及び７３５の各々は、拡大係数「４」を有している。同様に、ライトガイド７６０は、該ライトガイド７６０が前記２つの独立な光像を受け取るように配されている。光源７００の残りの構造及び動作は、上述の光源２００の構造及び動作と類似しているので、簡潔さのために、ここでは省いてある。
【００３３】
前記ランプリフレクタも、前記光源から省かれても良い。この場合、前記ランプからのいくらかの光は損失されるが、前記のような配置は、前記ランプリフレクタが著しい量の発熱をしている光を当該ランプに反射し戻し得る図１ないし６に示されている場合と比較して、ランプの寿命及び信頼度を向上させることができる。
【００３４】
最後に、当該原理は、異なるアスペクト比を有する、エテンデュ保持光ビームを生成するのに拡張されることができる。例えば、前記光像を「長手方向」に結合する代わりに、前記光像が隣接して受信され、より「正方形」状の光ビームを生成すると同時に、元のビームのエテンデュも保持することができるように、前記ライトガイドを構成することもできる。付加的には、又は代替的には、前記ライトガイドの前記第２（出射）端部における前記偏光素子は、前記偏光ビームスプリッタと、前記偏光された光ビームのアスペクト比が、前記偏光素子に入射する偏光されていない光ビームに対して、２倍ではなく半分に削減されるように向けられた移相子とによって構成されることもできる。
【００３５】
好適実施例が本明細書に記載されているが、本発明の考え方及び範囲内に残っている多くの変更が可能である。前記変更は、通常の当業者の者にとって、本明細書、添付図面及び添付請求項を閲覧した後、明らかになるであろう。従って、本発明は、添付請求項の精神及び範囲内を除いて、制限されるものではない。
【図面の簡単な説明】
【００３６】
【図１】スクロールカラーシステムにおける電気光学光変調器パネルの照明の模式図を示している。
【図２】スクロールカラー照明システムのための光源の実施例の模式的な断面図を示している。
【図３】図２のスクロールカラー照明システムのための前記光源の模式的な正面図を示している。
【図４】スクロールカラー照明システムのための光源の実施例の側面図を示している。
【図５】図４のスクロールカラー照明システムのための光源の実施例の正面図を示している。
【図６】図４のスクロールカラー照明システムのための光源の実施例の斜視図を示している。
【図７】スクロールカラー照明システムのための光源の他の実施例の模式的な断面図を示している。
【図１】
2007505476.tif 000003
【図２】
2007505476.tif 000004
【図３】
2007505476.tif 000005
【図４】
2007505476.tif 000006
【図５】
2007505476.tif 000007
【図６】
2007505476.tif 000008
【図７】
2007505476.tif 000009
【国際調査報告】
2007505476.tif 000010
2007505476.tif 000011